(57)【要約】【課題】各種会員カード、各種クーポンの携帯の必要性をなくし、且つ、個人情報を保護する会員サービス。また、店舗・施設に会員管理するための装置を設置しないで利用会員情報の入手。加盟見込先への加盟促進。【解決手段】携帯電話等のモバイル情報端末を会員証に用い、複数の加盟店に跨り利用できる会員証の発行機能、会員証から会員自ら来店登録する機能、来店承認証の発行機能、来店確認時に売上金額・ポイント・来店回数等の来店情報の登録機能、加盟見込先への紹介状発行機能、会員情報の公開・非公開識別と置換機能を備えた。【選択図】        図１
2004272500.tif 000002
【特許請求の範囲】
【請求項１】
予め、利用者が会員登録する機構、商品・サービスを提供する店舗・施設が加盟店登録する機構、を有するシステム（０１）において、会員（０３）が加盟店（０４）来店時に携帯電話等のモバイル情報端末（０３−２）から加盟店来店情報（１６）を登録すると、利用者の携帯電話等のモバイル情報端末（０３−２）に加盟店来店承認証情報（１７）を提供する機構を有することを特徴とするモバイル会員カードサービスシステム（０１）。
【請求項２】
予め、利用者が会員登録する機構、商品・サービスを提供する店舗・施設が加盟店登録する機構、を有するシステム（０１）において、会員（０３）が加盟店（０４）来店時に携帯電話等のモバイル情報端末（０３−２）から加盟店来店情報（１６）を登録すると、加盟店（０４）の情報端末（０４−２）に来店承認依頼情報（１８）を提供する機構を有することを特徴とするモバイル会員カードサービスシステム（０１）。
【請求項３】
請求項２の加盟店（０４）の情報端末（０４−２）に来店承認依頼情報（１８）を提供する機構を有するシステム（０１）において、加盟店（０４）が来店確認するために、加盟店登録責任者コード情報、加盟店登録責任者パスワード情報、優良客・不良客等の客識別情報、ご利用金額・ご利用ポイント・ご利用サービス等の販売情報、等の来店確認登録情報（１９）を加盟店の情報端末（０４−２）から登録することを特徴とするモバイル会員カードサービスシステム（０１）。
【請求項４】
請求項３の加盟店（０４）の情報端末（０４−２）から来店確認情報（１９）を登録する機構を有するシステム（０１）において、加盟店（０４）からの来店確認登録情報（１９）を会員（０３）のモバイル情報端末（０３−２）に加盟店来店承認証情報（１７）として提供することを特徴とするモバイル会員カードサービスシステム（０１）。
【請求項５】
予め、利用者が会員登録する機構、商品・サービスを提供する店舗・施設が加盟店登録する機構、を有するシステム（０１）において、会員（０３）が、商品・サービスを提供する店舗・施設等の加盟見込店を紹介するため、加盟店紹介者（０５）の携帯電話等のモバイル情報端末（０５−２）から加盟見込先紹介情報（１０）を登録すると、加盟店紹介者（０５）を特定化する識別情報を付加した紹介状情報（１１）を加盟見込先の情報端末（０４−２）に提供する機構を有することを特徴とする、また、商品・サービスを提供する店舗・施設等加盟見込店が、加盟見込店の情報端末（０４−２）から紹介状情報（１１）をもとに加盟店登録（１２）し、紹介者の誤りをなくし、紹介者識別番号等の登録を不要とする機構を有することを特徴とするモバイル会員カードサービスシステム（０１）。
【請求項６】
予め、利用者が会員登録する機構、商品・サービスを提供する店舗・施設が加盟店登録する機構、を有するシステム（０１）において、会員（０３）が、他の利用見込者を紹介する時に、会員（０３）を特定化する識別情報を付加した推薦情報を利用見込者のモバイル情報端末に提供する機構を有することを特徴とする、また、利用見込者が、その推薦情報をもとに会員登録し、紹介者会員の誤りをなくし、紹介者識別番号等の登録を不要とする機構を有することを特徴とするモバイル会員カードサービスシステム（０１）。
【請求項７】
予め、利用者が会員登録する機構、商品・サービスを提供する店舗・施設が加盟店登録する機構、を有するシステム（０１）において、会員（０３）が加盟店（０４）来店時に携帯電話等のモバイル情報端末（０３−２）から加盟店来店情報（１６）を登録すると、会員（０３）の携帯電話等のモバイル情報端末（０３−２）に来店承認依頼情報（１８−２）を提供する機構を有することを特徴とするモバイル会員カードサービスシステム（０１）。
【請求項８】
請求項７を提供する機構を有するシステムにおいて、加盟店に特別な情報端末を設置利用することなく、加盟店（０４）が会員（０３）の携帯電話等のモバイル情報端末（０３−２）を用いて、会員（０３）の携帯電話等のモバイル情報端末（０３−２）の来店承認依頼情報（１８−２）から、加盟店（０４）が来店確認するために、加盟店登録責任者コード情報、加盟店登録責任者パスワード情報、優良客・不良客等の客識別情報、ご利用金額・ご利用ポイント・ご利用サービス等の販売情報、等の来店確認登録情報（１９−２）を会員（０３）の携帯電話等のモバイル情報端末（０３−２）から登録することを特徴とするモバイル会員カードサービスシステム（０１）。
【請求項９】
請求項１、２、３、４、５、６、７、８を提供する機構を有するシステム（０１）において、会員（０３）が携帯電話等のモバイル情報端末（０３−２）を、多種多様な商品・サービスを提供する業種業態の加盟店（０４）に持参し、会員（０３）の携帯電話等のモバイル情報端末（０３−２）の会員証情報（０８）を提示するだけで、複数の加盟店（０４）を跨り特別な商品・サービスを会員（０３）に提供する機構を有するビジネスモデルを特徴とするモバイル会員カードサービスシステム（０１）。
【請求項１０】
請求項１、２、３、４、５、６、７、８、９を提供する機構を有するシステム（０１）において、会員（０３）が、商品・サービスを提供する店舗・施設等の加盟見込店を紹介することにより、紹介料・紹介サービスを加盟店紹介者（０５）に提供（１４）する機構を有するビジネスモデルを特徴とするモバイル会員カードサービスシステム（０１）。
【請求項１１】
請求項１、２、３、４、５、６、７、８、９、１０を提供する機構を有するシステム（０１）において、会員（０３）が、利用見込者を紹介することにより、紹介料・紹介サービスを会員（０３）に提供する機構を有するビジネスモデルを特徴とするモバイル会員カードサービスシステム（０１）。
【請求項１２】
請求項１、２、３、４、５、６、７、８、９、１０、１１を提供する機構を有するシステム（０１）において、商品・サービスを提供する店舗・施設等の加盟店（０４）から、加盟店紹介情報・加盟店イベント情報・リピータ販促情報等の情報サービス料・広告料として、ワンツーワンマーケティング・エリアマーケティング情報等の情報サービス料として、加盟店（０４）より徴収（１３）する機構を有するビジネスモデルを特徴とするモバイル会員カードサービスシステム（０１）。
【請求項１３】
請求項１、２、３、４、５、６、７、８、９、１０、１１、１２を提供する機構を有するシステム（０１）において、会員（０３）の個人情報を登録する際に公開する情報と非公開の情報の区分けする機構、公開する情報として複数の利用用途別愛称（ニックネイム、アイドル名等の仮称）・住居地区名・お勤め地区名・年代・職業等を複数登録でき公開情報から個人を特定できない機構、非公開の生年月日を年代に置き換える・非公開の住所を地域に置き換える等の加盟店（０４）には公開情報の提供をするため非公開の情報を公開する情報に置換する機構、それらの機構を用いて会員（０３）が登録する個人情報を保護する機構を有することを特徴とするモバイル会員カードサービスシステム（０１）。
【発明の詳細な説明】
【０００１】
【発明が属する技術分野】
本発明は移動体通信を含むインターネットを使用した複数の加盟店を跨り利用できるモバイル会員カードサービスシステムに関する。また、移動体通信を含むインターネットを使用した複数の加盟店を跨るマーケティング情報サービスシステムに関する。
【０００２】
【従来の技術】
従来、会員向けに商品・サービスを提供する店舗・施設は、各社個々に自社会員カードを発行する。会員は、商品・サービスを提供する店舗・施設の発行する会員証を常時持参しサービスの提供をうける。
従来、商品・サービスを提供する店舗・施設は、会員の利用情報を収集するため、専用機器等を店舗・施設に設置する。
従来、商品・サービスを提供する店舗・施設は、新規顧客獲得のため、チラシ配布、クーポン券配布、クーポン雑誌等雑誌掲載、等をしている。そのために、広告宣伝物を店舗・施設は、自ら作成、または、委託し、宣伝している。
また、チラシやクーポンは、インターネットで提供し、パソコン等で印刷し、印刷物を持参する方式である。
従来、商品・サービスを提供する店舗・施設等の加盟店を新たに獲得するためには、テレビやラジオのコマーシャル、新聞や雑誌の広告等にて加盟店募集を宣伝する方法である。そのために、コマーシャルフィルム等の広告宣伝物を作成し、宣伝している。
従来、商品・サービスを提供する店舗・施設等では、会員証で本人の本名で本人確認している。
【０００３】
【発明が解決しようとする課題】
会員は、商品・サービスを提供する店舗・施設の発行する会員証を常時持参する必要があり、財布等は多種の会員カードで膨らみ利便性に欠く。
【０００４】
本発明は、携帯電話等のモバイル情報端末が会員証になり、携帯電話を持参するだけで商品・サービスを提供する店舗・施設の発行する会員証を代行し、ユビキタンス（いつでも、どこでも）にサービスの提供を受けられる。
【０００５】
また、本発明は、携帯電話等のモバイル情報端末が会員証になり、会員証を作る必要がないので、紙原料の木材資源、アクリル樹脂等の地球資源を消費しない。地球に優しい。
【０００６】
商品・サービスを提供する店舗・施設は、会員の利用情報を収集する専用機器等を店舗・施設に設置する必要があり、店舗・施設に機器費用が発生する。
【０００７】
本発明は、会員が持参する携帯電話等のモバイル情報端末から来店情報等の利用情報を登録するので、利用情報を収集する専用機器等を店舗・施設に設置する必要がなく、店舗・施設に機器費用が発生しない。
【０００８】
商品・サービスを提供する店舗・施設は、新規顧客獲得のため、チラシ配布、クーポン券配布、クーポン雑誌等雑誌掲載、等を作成するため紙原料の木材資源等の地球資源を消費する。
【０００９】
本発明は、会員の携帯電話等のモバイル情報端末にチラシ、クーポン等を電子化した販促情報を提供するので紙原料の木材資源等の地球資源を消費しない。地球に優しい。
【００１０】
商品・サービスを提供する店舗・施設の加盟店獲得のために、より広域での広告宣伝活動を行う必要がり、広告宣伝費が多大になる問題がある。
【００１１】
本発明は、広告宣伝費用の増大を防ぎ、効果的に新たな加盟店を獲得することのできる加盟店紹介システムを提供する。
【００１２】
商品・サービスを提供する店舗・施設では、会員の確認を会員証で本名かどうかを確認しているが、悪意を持った店舗、また、悪意を持った周りの方に情報が漏れたり、悪用されたりする問題がある。
【００１３】
本発明は、商品・サービスを提供する店舗・施設に、公開する情報として複数の利用用途別愛称名等個人を特定しない情報のみを提供する、それにより個人情報を保護する。
【００１４】
【課題を解決するための手段】
そこで、本発明装置は、利用者が携帯電話等のモバイル情報端末（０３−２）から会員登録（０７）する機構、商品・サービスを提供する店舗・施設が加盟店登録（１２）する機構、会員（０３）が加盟店（０４）来店時来店登録情報（１６）を登録する機構、会員（０３）からの来店登録情報（１６）をもとに自動的に来店承認証情報（１７）を会員（０３）の携帯電話等のモバイル情報端末（０３−２）に送る機構、会員（０３）からの来店登録情報（１６）をもとに来店承認依頼情報（１８）を加盟店（０４）のインターネット情報端末（０４−２）に送る機構、会員（０３）からの来店登録情報（１６）をもとに来店承認依頼情報（１８−２）を会員（０３）の携帯電話等のモバイル情報端末（０３−２）に送る機構、加盟店（０４）が来店承認依頼情報（１８、１８−２）をもとに加盟店（０４）のインターネット情報端末（０４−２）または会員（０３）の携帯電話等のモバイル情報端末（０３−２）から来店確認登録情報（１９、１９−２）を登録する機構、加盟店（０４）の来店確認登録情報（１９、１９−２）をもとに来店承認証情報（１７）を会員（０３）の携帯電話等のモバイル情報端末（０３−２）に送る機構、加盟見込先紹介情報（１０）をもとに加盟店紹介者（０５）を付加した紹介状（１１）を加盟見込先の送る機構、会員登録情報を公開・非公開識別し個人情報保護した情報置換（２３）する機構、を有することを特徴とするモバイル会員カードサービスシステム（０１）。
【００１５】
【発明の実施の形態】
以下に本発明の実施の形態について説明する。
【００１６】
本発明ビジネスモデルは以下から構成される。
イ．モバイル会員カードシステム（０１）
ロ．システム運用会社（０２）
ハ．利用者である会員（０３）
ニ．利用者である会員の携帯電話等のモバイル情報端末（０３−２）
ホ．会員が利用する店舗・施設である加盟店（０４）
ヘ．会員が利用する店舗・施設である加盟店の情報端末（０４−２）
ト．加盟店の担当者（０４−３）
チ．会員である加盟店紹介者（０５）
リ．会員である加盟店紹介者の携帯電話等のモバイル情報端末（０５−２）
【００１７】
【実施例】
図１は、本発明装置モバイル会員カードシステムの事業モデル実施例１の機構構成ブロック図である。
【００１８】
本発明装置モバイル会員カードシステム（０１）は、システム運用会社（０２）がシステム運営（０６）をするシステム運用会社（０２）、利用者である会員（０３）、会員が利用する店舗・施設である加盟店（０４）、及び、加盟見込店紹介する（０９）会員である加盟店紹介者（０５）で構成する。
【００１９】
利用者は、会員登録（０７）することによりモバイル会員カードシステムの会員証（０８）が、発行され会員（０３）となる。
【００２０】
会員（０３）が、加盟店紹介者（０５）になる（０９）。
【００２１】
会員である加盟店紹介者（０５）は、加盟見込先である店舗・施設のＥメールアドレス等を、モバイル会員カードシステム（０１）に加盟見込先紹介（１０）登録する。
【００２２】
モバイル会員カードシステム（０１）は、加盟見込先である店舗・施設Ｅメールアドレスに紹介者情報を付加して紹介状（１１）を送る。
【００２３】
加盟見込先である店舗・施設は、紹介者情報を付加した紹介状（１１）用いて、モバイル会員カードシステム（０１）に加盟店登録（１２）することにより、加盟店（０４）となる。
【００２４】
加盟店（０４）は、加盟することにより、システム運用会社（０２）にコンテンツ広告料を支払う（１３）。
【００２５】
システム運用会社（０２）は、加盟店登録（１２）時の紹介者情報から本発明装置モバイル会員カードシステム（０１）が作成する加盟店紹介者実績情報（２２）をもとに加盟店紹介者（０５）に対して、紹介料を支払う（１４）。
【００２６】
図２は、本発明装置モバイル会員カードシステムの会員（０３）の携帯電話等のモバイル情報端末（０３−２）の会員証（０８）の認証のみする方式の運用ケース１の機構構成ブロック図である。
【００２７】
利用者である会員（０３）は、加盟店（０４）来店時加盟店担当者（０４−３）に携帯電話等のモバイル情報端末（０３−２）の会員証（０８）を提示することにより、会員優待・特典サービス（２１）を加盟店から提供を受ける運用ケース１。
【００２８】
図３は、本発明装置モバイル会員カードシステムの会員（０３）の携帯電話等のモバイル情報端末（０３−２）の来店承認証（１７）の認証と加盟店（０４）に情報端末を設置しないで来店者情報を入手する運用方式の運用ケース２の機構構成ブロック図である。
【００２９】
利用者である会員（０３）は、加盟店（０４）来店時に携帯電話等のモバイル情報端末（０３−２）の会員証（０８）に記載された来店登録を用いて、モバイル会員カードシステム（０１）に来店登録（１６）する。
【００３０】
来店登録（１６）によりモバイル会員カードシステム（０１）は、自動的に会員（０３）の携帯電話等のモバイル情報端末（０３−２）に来店承認証（１７）の発行をする。
【００３１】
会員（０３）は、加盟店担当者（０４−３）に携帯電話等のモバイル情報端末（０３−２）の来店承認証（１７）を提示することにより、会員優待・特典サービス（２１）を加盟店（０４）から提供を受ける運用ケース２。
【００３２】
図４は、本発明装置モバイル会員カードシステムの加盟店（０４）の通信装置（０４−２）を用いて来店確認登録（１９）する来店承認証（１７）の認証と加盟店（０４）に情報端末（０４−２）を設置し来店者情報を入手する運用方式の運用ケース３の機構構成ブロック図である。
【００３３】
利用者である会員（０３）は、加盟店（０４）来店時に携帯電話等移動体通信装置（０３−２）の会員証（０８）に記載された来店登録を用いて、モバイル会員カードシステム（０１）に来店登録（１６）する。
【００３４】
モバイル会員カードシステム（０１）は、加盟店（０４）の情報通信装置（０４−０２）に来店承認依頼（１８）を送る。
【００３５】
加盟店（０４）の担当者は、加盟店（０４）の通信装置から来店承認依頼（１８）をもとに来店確認登録（１９）をする。
来店確認登録（１９）をする情報は、加盟店登録責任者コード情報、加盟店登録責任者パスワード情報、優良客・不良客等の客識別情報、ご利用金額・ご利用ポイント・ご利用サービス等の販売情報、等である。
【００３６】
モバイル会員カードシステム（０１）は、加盟店（０４）からの来店確認登録（１９）をもとに会員（０３）の携帯電話等のモバイル情報端末（０３−２）に来店承認証（１７）を発行する。
【００３７】
会員（０３）は、加盟店担当者（０４−３）に携帯電話等のモバイル情報端末（０３−２）の来店承認証（１７）を提示することにより、会員優待・特典サービス（２１）を加盟店から提供を受ける運用ケース３。
【００３８】
図５は、本発明装置モバイル会員カードシステムの会員（０３）の携帯電話等のモバイル情報端末（０３−２）を用いて来店確認登録（１９−２）する来店承認証（１７）の認証と加盟店（０４）に情報端末（０４−２）を設置しないで来店者情報を入手する運用方式の運用ケース４の機構構成ブロック図である。
【００３９】
利用者である会員（０３）は、加盟店（０４）来店時に携帯電話等のモバイル情報端末（０３−２）の会員証（０８）に記載された来店登録を用いて、モバイル会員カードシステム（０１）に来店登録（１６）する。
【００４０】
モバイル会員カードシステム（０１）は、会員（０３）の携帯電話等のモバイル情報端末（０３−２）に来店承認依頼（１８−２）を送る。
【００４１】
加盟店（０４）の担当者（０４−３）は、会員（０３）の携帯電話等のモバイル情報端末（０３−２）を借用（２２）し、来店承認依頼（１８−２）をもとに来店確認登録（１９−２）し、登録後会員（０３）の携帯電話等のモバイル情報端末（０３−２）を返却（２３）する。
来店確認登録（１９−２）をする情報は、加盟店登録責任者コード情報、加盟店登録責任者パスワード情報、優良客・不良客等の客識別情報、ご利用金額・ご利用ポイント・ご利用サービス等の販売情報、等である。
【００４２】
モバイル会員カードシステム（０１）は、加盟店（０４）からの来店確認登録（１９−２）をもとに会員（０３）の携帯電話等のモバイル情報端末（０３−２）に来店承認証（１７）を発行する。
【００４３】
会員（０３）は、加盟店担当者（０４−３）に携帯電話等のモバイル情報端末（０３−２）の来店承認証（１７）を提示することにより、会員優待・特典サービス（２１）を加盟店から提供を受ける運用ケース４。
【００４４】
それらの運用方式のケース１、２、３、４の選択は、加盟店の運営方針で指定できる。加盟店（０４）は、モバイル会員カードシステム（０１）に加盟店登録（１２）する時に指定する。
【００４５】
図６は、加盟店紹介者（０５）が加盟見込先の情報端末（０４−２）に紹介状（１１）を送り、加盟店になった時の加盟紹介者（０５）への紹介料支払（１４）までの機構構成ブロック図である。
【００４６】
図７は、本発明装置モバイル会員カードシステムの会員証（０８）と来店承認証（１７）の会員（０３）の携帯電話等のモバイル情報端末（０３−２）表示例である。
【００４７】
本発明装置モバイル会員カードシステムは、会員証に、会員愛称名と会員証の有効期限（０８−２）を証明し発行する。
【００４８】
また、会員証には、来店登録選択（０８−３）、加盟店紹介選択（０８−４）、加盟店情報（０８−５）、会員個々のメモ情報、等のインターネットハイパーリンク機能を用いた簡易リンク情報を付加する。
【００４９】
来店登録選択（０８−３）は、来店登録情報（１６）を登録するためのインターネットハイパーリンク機能である。
【００５０】
来店登録選択（０８−３）のリンク情報は、リンク先に会員ＩＤ  、リンクパスワード等を付加し、会員個々の来店登録情報を生成する情報を含む。
【００５１】
加盟店紹介選択（０８−４）は、加盟見込先紹介情報（１０）を登録するためのインターネットハイパーリンク機能である。
【００５２】
加盟店紹介選択（０８−４）のリンク情報は、リンク先に会員ＩＤ  、リンクパスワード等を付加し、会員個々の加盟店紹介登録情報を生成する情報を含む。
【００５３】
加盟店情報（０８−５）は、加盟店登録（１２）された情報にリンクするためのインターネットハイパーリンク機能である。
【００５４】
例として、加盟店（０４）がタクシー会社である例として、夜間帰宅する会員（０３）が、最寄のタクシーを呼ぶために、会員（０３）が現在いる場所を指定して最寄の加盟店（０４）のタクシー会社の電話にリンクする機構、等にリンクする情報を含む。
【００５５】
会員個々のメモ情報は、会員登録（０７）時に会員個々が会員証に表示する覚書としてのメモする登録項目で、電話番号、ＵＲＬ等のインターネットハイパーリンク可能な情報を登録する。
【００５６】
会員証にそのメモ登録した情報を表示し、メモ登録した電話番号、ＵＲＬにリンクするためのインターネットハイパーリンク機能である。
【００５７】
例として、勤務先から指定するタクシー会社の電話番号入りテレホンカードを配布された会員（０３）がいるとした時に、メモに勤務先指定のタクシー会社電話番号を登録しておくと、そのテレホンカードを会員（０３）が携帯していなくても、勤務先指定のタクシー会社を呼ぶために、会員証（０８）から簡単に指定タクシー会社に電話することができる。
【００５８】
本発明装置モバイル会員カードシステムは、来店承認証に、何時、誰が、何処に、来店したかを証明し発行する。
【００５９】
よって、来店承認証は、システム運用会社ロゴ・名称、タイムスタンプ（来店年月日、時分）、会員愛称、来店店舗名（１７−２）等の情報である。
【００６０】
図８は、本発明装置モバイル会員カードシステム（０１）の会員（０３）が登録する個人情報を公開情報・非公開情報に置換する機構構成ブロック図である。
【００６１】
利用者が会員登録する情報に公開情報と非公開情報の識別案内を利用者にする。
【００６２】
例えば、氏名、住所、生年月日等は、非公開と案内する。
【００６３】
また、公開する利用用途別愛称（ニックネイム、アイドル名等の仮称）・住居地区名・お勤め地区名・年代・職業等を複数登録できるようにし、利用用途にて随時選択を可能にし、個人を特定できないようにする。
【００６４】
会員（０３）は、本発明装置モバイル会員カードシステム（０１）の個人情報公開・非公開置換機構（２３）を用いて、会員証（０８）に表示する愛称を複数の利用用途別愛称から任意に選択指定し、会員証（０８）を発行する。
【００６５】
また、非公開の生年月日をマーケティング情報分析用の年代に置き換える機能、非公開の住所をマーケティング情報分析用の地域に置き換える機能を有する。
【００６６】
会員登録情報（０７）は、本発明装置モバイル会員カードシステム（０１）の個人情報公開・非公開置換機構（２３）にて、会員証情報（０８）には、会員（０３）が指定した公開する利用用途別愛称を付加し、個人を特定する氏名は付加しない。
【００６７】
また、加盟店情報端末（４−２）に公開する来店承認依頼情報（１８）には、会員（０３）が指定した公開する利用用途別愛称を付加し、個人を特定する氏名は付加しない。
【００６８】
それらの本発明装置モバイル会員カードシステム（０１）の個人情報公開・非公開置換機構（２３）を用いて会員（０３）が登録する個人情報を保護する機構を有することを特徴とするモバイル会員カードサービスシステム（０１）。
【００６９】
図９は、本発明装置の会員証（０８）から来店登録し来店承認証（１７）発行するフロー図である。
【００７０】
会員（０３）の携帯電話等のモバイル情報端末（０３−２）の会員証（０８）から来店登録する方式は、ＷＥＢ方式（０８−３―１）とメール方式（０８−３―２）がある。
【００７１】
ＷＥＢ方式（０８−３―１）は、会員（０３）の携帯電話等のモバイル情報端末（０３−２）の会員証（０８）の来店登録ＷＥＢ（０８−３―１）を選択し、インターネットハイパーリンクにて、本発明装置のモバイル会員カードシステム（０１）にリンクする方式である。
【００７２】
本発明装置のモバイル会員カードシステム（０１）は、前述したリンク情報である、会員ＩＤ  、リンクパスワード等の付加情報をもとに、会員個々の来店登録ＷＥＢ情報（８−３−３）を生成し、会員（０３）の携帯電話等のモバイル情報端末（０３−２）に来店登録ＷＥＢ情報（８−３−３）を提供する。
【００７３】
会員（０３）は、会員（０３）の携帯電話等のモバイル情報端末（０３−２）の来店登録ＷＥＢ情報（８−３−３）に来店した加盟店の店コードを登録する。
【００７４】
本発明装置のモバイル会員カードシステム（０１）は、登録された店コードが登録された加盟店であるか確認し登録された加盟店である時、来店承認証ＷＥＢ情報（１７−２−１）を会員（０３）の携帯電話等のモバイル情報端末（０３−２）に提供する。
【００７５】
また、同時に後述する来店承認証メール情報（１７−２−２）を会員（０３）の携帯電話等のモバイル情報端末（０３−２）にメール送信する。
【００７６】
メール方式（０８−３―２）は、会員（０３）の携帯電話等のモバイル情報端末（０３−２）の会員証（０８）の来店登録メール（０８−３―２）を選択し、携帯電話等のモバイル情報端末（０３−２）の基本機能であるメール作成機能を用いて、本発明装置のモバイル会員カードシステム（０１）の会員証（０８）が指定する来店登録メールアドレスにリンクする携帯メール情報（２４）を作成する方式である。
【００７７】
会員（０３）は、会員（０３）の携帯電話等のモバイル情報端末（０３−２）のメール作成機能にて作成された携帯メール情報（２４）の件名（メールタイトル）、または、メール内容に、来店した加盟店の店コードを登録（２４−２）し、メール送信する。
【００７８】
本発明装置のモバイル会員カードシステム（０１）は、本発明装置のモバイル会員カードシステム（０１）が指定する来店登録メールアドレスに送られたメールを解析処理する。
【００７９】
本発明装置のモバイル会員カードシステム（０１）の解析処理は、送信者である会員（０３）の正誤照査、件名（メールタイトル）、または、メール内容に登録された加盟店の店コードの正誤照査をする。
【００８０】
正誤照査で正しい時、来店承認証メール情報（１７−２−２）を会員（０３）の携帯電話等のモバイル情報端末（０３−２）にメール送信する。
来店承認証メール情報（１７−２−２）は、メール件名に来店承認証、メール内容に会員愛称、来店名称、来店タイムスタンプ情報である。
【００８１】
前述した運用ケース３、４においては、来店承認証ＷＥＢ情報（１７−２−１）、来店承認証メール情報（１７−２−２）に、加盟店登録責任者コード情報、ご利用金額・ご利用ポイント・ご利用サービス、ご利用回数累計等の会員確認情報を付加する。
【００８２】
【発明の効果】
本発明ビジネスモデルは、携帯電話等のモバイル情報端末（０３−２）を用いたユビキタンス社会を実現するサービスである。携帯電話等のモバイル情報端末を持参するだけで加盟店である店舗・施設で特典サービスの提供を会員（０３）は受けられる。また、加盟店は、特別な会員情報収集するための装置を設置することなく、会員情報を入手活用することができ、リピータの確保、新規会員の獲得が図れる。また、会員は、個人情報を加盟店や他人に漏れることなく個人情報を保護し特典サービスを受けられる。
【図面の簡単な説明】
【図１】本発明装置モバイル会員カードシステムの事業モデル実施例１の機構構成ブロック図である。
【図２】本発明装置の運用ケース１の機構構成ブロック図である。
【図３】本発明装置の運用ケース２の機構構成ブロック図である。
【図４】本発明装置の運用ケース３の機構構成ブロック図である。
【図５】本発明装置の運用ケース４の機構構成ブロック図である。
【図６】本発明装置の加盟店紹介者（０５）への紹介料支払（１４）までの機構構成ブロック図である。
【図７】本発明装置の会員（０３）の携帯電話等のモバイル情報端末（０３−２）表示例である。
【図８】本発明装置の会員（０３）の個人情報を公開情報・非公開情報に置換する機構構成ブロック図である。
【図９】本発明装置の会員証（０８）から来店登録し来店承認証（１７）発行するフロー図である。
【符号の説明】
０１  本発明装置のモバイル会員カードシステム
０２  システム運用会社
０３  利用者である会員
０３−２  利用者である会員の携帯電話等のモバイル情報端末
０４  会員が利用する店舗・施設である加盟店
０４−２  会員が利用する店舗・施設である加盟店の情報端末
０４−３  加盟店の担当者
０５  会員である加盟店紹介者
０５−２  会員である加盟店紹介者の携帯電話等のモバイル情報端末
０６  本発明装置のシステム運営
０７  会員登録情報
０８  会員証情報
０８−２  会員証情報（会員名、有効期限）
０８−３  会員証情報（来店登録選択）
０８−３−１  来店登録ＷＥＢ方式
０８−３―２  来店登録メール方式
０８−３−３  来店登録ＷＥＢ情報
０８−４  会員証情報（加盟店紹介選択）
０８−５  会員証情報（加盟店情報）
０９  会員が加盟店紹介者になること
１０  加盟見込先紹介情報
１１  加盟見込先への紹介状情報
１２  加盟店登録情報
１３  運営会社へのコンテンツ広告料支払
１４  紹介者への紹介料支払
１５  会員証の提示
１６  加盟店来店登録情報
１７  加盟店来店承認証情報
１７−２  加盟店来店承認証情報（来店加盟店名、来店タイムスタンプ）
１７−２−１  来店承認証ＷＥＢ情報
１７−２−２  来店承認証メール情報
１８  加盟店の情報通信装置への来店承認依頼情報
１８−２  会員の携帯電話等のモバイル情報端末への来店承認依頼情報
１９  加盟店の情報通信装置からの来店確認登録情報
１９−２  会員の携帯電話等のモバイル情報端末からの来店確認登録情報
２０  来店承認証の提示
２１  会員優待・特典サービスの提供
２２  加盟店紹介者実績情報
２３  個人情報公開・非公開置換機構
２４  携帯メール情報
２４−２  携帯メール情報（来店登録）
【図１】
2004272500.tif 000003
【図２】
2004272500.tif 000004
【図３】
2004272500.tif 000005
【図４】
2004272500.tif 000006
【図５】
2004272500.tif 000007
【図６】
2004272500.tif 000008
【図７】
2004272500.tif 000009
【図８】
2004272500.tif 000010
【図９】
2004272500.tif 000011